(57)【要約】【課題】災害時であっても避難施設を円滑かつ迅速に設置することができるようにするために、災害時の一時的な避難場所として利用される公園等に既設しておくことができる建造物を提供すること。【解決手段】本考案では、建造物（１）において、屋根（４）を支持する支持体（２）の内部に側壁となる幕体（９）を収容するとともに、前記幕体（９）を吊下げるためのレール（１７）を前記屋根（４）の端縁よりも内側に設けることにした。また、本考案では、前記屋根（４）に軒桁（１６）を設け、前記軒桁（１６）の内側に前記レール（１７）を設けることにした。【選択図】図１
0003195764.tif 000002
【実用新案登録請求の範囲】
【請求項１】
屋根を支持する支持体の内部に側壁となる幕体を収容するとともに、前記幕体を吊下げるためのレールを前記屋根の端縁よりも内側に設けたことを特徴とする建造物。
【請求項２】
前記屋根に軒桁を設け、前記軒桁の内側に前記レールを設けたことを特徴とする請求項１に記載の建造物。
【考案の詳細な説明】
【技術分野】
【０００１】
本考案は、災害時等の一時的な避難場所として利用される公園等に既設しておき、災害時の避難施設等として利用することができる建造物に関するものである。
【背景技術】
【０００２】
近年、地震や豪雨などの災害を被った場合の一時的な避難場所として公園や広場などを利用することが考えられている。そして、避難場所において風雨を避けることができる避難施設として、避難場所に迅速に設置することができる簡易テントの利用が考えられている。
【０００３】
このように迅速に設置することができる簡易テントとしては、容易に組立可能な骨組と、組立てた骨組の天井部分や周囲部分を被覆するテント布とで構成されている（たとえば、特許文献１参照。）。
【先行技術文献】
【特許文献】
【０００４】
【特許文献１】特開２００２−２３５４６０号公報
【考案の概要】
【考案が解決しようとする課題】
【０００５】
ところが、上記従来の簡易テントでは、簡易テントを設置するための場所の確保や、設置場所への簡易テントの運搬や、設置場所での簡易テントの組立などを、災害時に行わなければならず、円滑かつ迅速に行うことが困難となることが予想される。
【０００６】
そこで、本考案では、災害時であっても避難施設を円滑かつ迅速に設置することができるようにするために、災害時の一時的な避難場所として利用される公園等に既設しておくことができる建造物を提供するものである。
【課題を解決するための手段】
【０００７】
請求項１に係る本考案では、建造物において、屋根を支持する支持体の内部に側壁となる幕体を収容するとともに、前記幕体を吊下げるためのレールを前記屋根の端縁よりも内側に設けることにした。
【０００８】
また、請求項２に係る本考案では、前記請求項１に係る本考案において、前記屋根に軒桁を設け、前記軒桁の内側に前記レールを設けることにした。
【考案の効果】
【０００９】
そして、本考案では、以下に記載する効果を奏する。
【００１０】
すなわち、本考案では、建造物において、屋根を支持する支持体の内部に側壁となる幕体を収容するとともに、前記幕体を吊下げるためのレールを前記屋根の端縁よりも内側に設けているために、災害時等に風雨を避けることができる建造物として円滑かつ迅速に設置することができる。
【００１１】
特に、前記屋根に軒桁を設け、前記軒桁の内側に前記レールを設けた場合には、より確実に風雨の浸入を防止することができる。
【図面の簡単な説明】
【００１２】
【図１】本考案に係る建造物を示す平面図。
【図２】同正面図。
【図３】同右側面図。
【図４】同部分拡大図。
【考案を実施するための形態】
【００１３】
以下に、本考案に係る建造物の具体的な構成について図面を参照しながら説明する。
【００１４】
図１〜図４に示すように、建造物１は、地上に設置した前後に平行に対向する支持体2,3の上部に屋根４を取付けた構成となっている。
【００１５】
前側の支持体２は、前後に平行に対向する外壁５と内壁６の左右端部間に開閉扉7,8を開閉可能に取付け、これらの外壁５と内壁６と開閉扉7,8とで囲まれる内側部分に空間を形成している。そして、前側の支持体２は、内側部分に形成した空間に建造物１の側壁として利用できる幕体９を折畳んだ状態で収容している。
【００１６】
後側の支持体３は、外壁10の左右端部に左右に平行に対向する左右側壁11,12の後端部を取付けるとともに、左右側壁11,12の前端部間に左右一対の開閉扉13,14を開閉可能に取付け、これらの外壁10と左右側壁11,12と開閉扉13,14とで囲まれる内側部分に空間を形成している。そして、後側の支持体３は、内側部分に形成した空間に物品等を収容できるようにしている。
【００１７】
屋根４は、屋根材15の下方内側に軒桁16を設けている。この軒桁16によって建造物１は屋根４の下側部分の周囲が囲まれており、軒桁16は平面視において屋根４の端縁よりも内側に位置している。そして、軒桁16の内側には幕体９を吊下げるためのレール17を取付けている。レール17は、後側の支持体３の左側壁11から前側の支持体２の内部を通過して後側の支持体３の右側壁12まで連続して設けられている。なお、幕体９は、レール17に吊下げられた状態で折畳まれて支持体２の内部に収容されており、レール17に沿って移動（開閉）されるようになっている。また、レール17の直下方の地面には、幕体９の下端裾部を保持する保持具（図示省略）を複数個間隔をあけて埋設している。保持具は、レール17と上下に平行に対向させて設けたレール状のものでもよく、また、幕体９を側壁として利用する際に幕体９の角部を保持するようにしてもよい。屋根４は、前後の支持体2,3の間を被覆して雨の浸入を防げればよく、構造は特に限定されない。
【００１８】
建造物１は、以上に説明したように構成しており、災害時等の一時的な避難場所として利用される公園等に既設される。そして、建造物１は、通常時には休憩施設として利用することができ、災害時等には避難施設として利用することができる。その際には、支持体３の左右の開閉扉7,8を開きレール17に沿って幕体９を引き出して側壁とし、幕体９の端部を後側の支持体の左右側壁11,12で保持するとともに、下端裾部を地面に埋設した保持具で保持する。これにより、建造物１は、災害時等に容易かつ迅速に風雨を避けることができる避難施設とすることができる。なお、幕体９に出入口等を形成してもよく、内側にテーブルやイスなどを収容してもよく、支持体2,3の外壁5,10などに避難施設であることを示す表示装置などを設けてもよい。
【００１９】
以上に説明したように、上記建造物１は、屋根４を支持する支持体２の内部に側壁となる幕体９を収容するとともに、幕体９を吊下げるためのレール17を屋根４の端縁よりも内側に設けた構成となっている。
【００２０】
そのため、上記構成の建造物１では、災害時等に風雨を避けることができる建造物１として円滑かつ迅速に設置することができる。
【００２１】
また、上記建造物１は、屋根４に軒桁16を設け、軒桁16の内側にレール17を設けた構成となっている。
【００２２】
そのため、上記建造物１では、災害時等により確実に風雨の浸入を防止することができる。
【符号の説明】
【００２３】
１  建造物                          2,3  支持体
４  屋根                            ５  外壁
６  内壁                            7,8  開閉扉
９  幕体                            10  外壁
11,12  左右側壁                     13,14  開閉扉
15  屋根材                          16  軒桁
17  レール
【図１】
0003195764.tif 000003
【図２】
0003195764.tif 000004
【図３】
0003195764.tif 000005
【図４】
0003195764.tif 000006